(57)【要約】【課題】暗号化されたコンテンツに対応した鍵が記憶された記憶デバイスをわかりやすくする。【解決手段】第一の取得部は、接続された第一の記憶デバイスに記憶された暗号化されたコンテンツのデータを取得する。第二の取得部は、着脱可能に接続された第二の記憶デバイスに記憶された鍵データを取得する。第三の取得部は、第一の記憶部から、暗号化されたコンテンツのデータに対応した第二の識別データを取得する。復号化部は、第一の取得部で取得された暗号化されたコンテンツのデータを、第二の取得部で取得された鍵データで復号化する。第一の出力部は、接続された第一の記憶デバイスに記憶された暗号化されたコンテンツのデータに対応した鍵データが、接続された第二の記憶デバイスに記憶されていなかった場合に、当該暗号化されたコンテンツのデータに対応した第二の識別データを出力する。【選択図】図９
2015011575.tif 000002
【特許請求の範囲】
【請求項１】
第一の記憶デバイスに記憶された暗号化されたコンテンツのデータを取得する第一の取得部と、
着脱可能に接続された第二の記憶デバイスに記憶された鍵データを取得する第二の取得部と、
前記暗号化されたコンテンツのデータの第一の識別データと当該暗号化されたコンテンツのデータを復号化する前記鍵データが記憶された前記第二の記憶デバイスの第二の識別データとが対応付けて記憶された第一の記憶部から、前記暗号化されたコンテンツのデータに対応した前記第二の識別データを取得する第三の取得部と、
前記第一の取得部で取得された前記暗号化されたコンテンツのデータを、前記第二の取得部で取得された前記鍵データで復号化する復号化部と、
接続された前記第一の記憶デバイスに記憶された前記暗号化されたコンテンツのデータに対応した前記鍵データが、接続された前記第二の記憶デバイスに記憶されていなかった場合に、当該暗号化されたコンテンツのデータに対応した前記第二の識別データを出力する第一の出力部と、
を備えた、電子機器。
【請求項２】
前記第１の記憶デバイスは前記電子機器に着脱可能に接続された、請求項１に記載の電子機器。
【請求項３】
前記第一の出力部は、接続された前記第一の記憶デバイスに記憶された前記暗号化されたコンテンツのデータに対応した前記鍵データが、接続された前記第二の記憶デバイスに記憶されていた場合には、前記第二の識別データを出力しない、請求項１または２に記載の電子機器。
【請求項４】
前記第二の識別データに、入力操作部でのユーザの入力操作に応じて生成あるいは変更可能なデータが含まれる、請求項１〜３のうちいずれか一つに記載の電子機器。
【請求項５】
前記第二の識別データに、前記第二の記憶デバイスに付された色を示すデータが含まれる、請求項１〜４のうちいずれか一つに記載の電子機器。
【請求項６】
前記第一の記憶部は、前記第一の記憶デバイスに含まれ、
さらに、前記暗号化されたコンテンツのデータの第一の識別データと当該暗号化されたコンテンツのデータを復号化する前記鍵データが記憶された前記第二の記憶デバイスの第二の識別データとを対応付けて前記第一の記憶部に記憶させる記憶制御部を備えた、請求項１〜５のうちいずれか一つに記載の電子機器。
【請求項７】
さらに、
前記第二の記憶デバイスの前記第二の識別データと当該第二の記憶デバイスが接続された電子機器の第三の識別データとが対応付けて記憶された第二の記憶部から、前記第二の識別データに対応した前記第三の識別データを取得する第四の取得部と、
接続された前記第一の記憶デバイスに記憶された前記暗号化されたコンテンツのデータに対応した前記鍵データが、接続された前記第二の記憶デバイスに記憶されていなかった場合に、当該暗号化されたコンテンツのデータに対応した前記第二の識別データに対応した前記第三の識別データを出力する第二の出力部と、
を備えた、請求項１〜６のうちいずれか一つに記載の電子機器。
【請求項８】
前記第三の識別データには、入力操作部でのユーザの入力操作に応じて生成あるいは変更可能なデータが含まれる、請求項７に記載の電子機器。
【請求項９】
さらに、
前記第三の識別データに対応した他の電子機器に向けて、当該他の電子機器での表示または音声の出力の元となるデータを出力する第三の出力部を備えた、請求項８または９に記載の電子機器。
【発明の詳細な説明】
【技術分野】
【０００１】
本発明の実施形態は、電子機器に関する。
【背景技術】
【０００２】
従来、暗号化されたコンテンツを記憶デバイスに記憶させる電子機器が知られている。
【先行技術文献】
【特許文献】
【０００３】
【特許文献１】特開２００６−２７７７４６号公報
【発明の概要】
【発明が解決しようとする課題】
【０００４】
上記技術では、暗号化されたコンテンツの復号化に用いる鍵が、着脱可能な別の記憶デバイスに記憶されている場合に、電子機器には、暗号化されたコンテンツを記憶する記憶デバイスとともに、鍵を記憶する別の記憶デバイスが接続されていないと、コンテンツを復号化して再生することができない。すなわち、暗号化されたコンテンツを復号化して再生する場合に、当該暗号化されたコンテンツに対応する鍵がどの記憶デバイスに記憶されているかがわからないと、ユーザにとって不便である。
【課題を解決するための手段】
【０００５】
実施形態の電子機器は、第一の取得部と、第二の取得部と、第三の取得部と、復号化部と、第一の出力部と、を備える。第一の取得部は、接続された第一の記憶デバイスに記憶された暗号化されたコンテンツのデータを取得する。第二の取得部は、着脱可能に接続された第二の記憶デバイスに記憶された鍵データを取得する。第三の取得部は、暗号化されたコンテンツのデータの第一の識別データと当該暗号化されたコンテンツのデータを復号化する鍵データが記憶された第二の記憶デバイスの第二の識別データとが対応付けて記憶された第一の記憶部から、暗号化されたコンテンツのデータに対応した第二の識別データを取得する。復号化部は、第一の取得部で取得された暗号化されたコンテンツのデータを、第二の取得部で取得された鍵データで復号化する。第一の出力部は、接続された第一の記憶デバイスに記憶された暗号化されたコンテンツのデータに対応した鍵データが、接続された第二の記憶デバイスに記憶されていなかった場合に、当該暗号化されたコンテンツのデータに対応した第二の識別データを出力する。
【図面の簡単な説明】
【０００６】
【図１】図１は、実施形態の二つの電子機器、第一の記憶デバイス、および第二の記憶デバイスの一例が示された模式図である。
【図２】図２は、実施形態の電子機器の一例が示されたブロック図である。
【図３】図３は、実施形態で互いに対応付けて記憶された第一の識別データと第二の識別データとの一例が示された模式図である。
【図４】図４は、実施形態の電子機器に対応した表示装置で表示された、第二の記憶デバイスの名称を入力する画面の一例が示された模式図である。
【図５】図５は、実施形態の電子機器に対応した表示装置で表示された、第二の記憶デバイスの色を選択する画面の一例が示された模式図である。
【図６】図６は、実施形態で互いに対応付けて記憶された第二の識別データと第三の識別データとの一例が示された模式図である。
【図７】図７は、実施形態の電子機器に対応した表示装置で表示された、電子機器の説明を入力する画面の一例が示された模式図である。
【図８】図８は、実施形態の電子機器に対応した表示装置で各コンテンツの再生（復号化）の可否が識別可能に表示された画面の一例が示された模式図である。
【図９】図９は、実施形態の電子機器に対応した表示装置で各コンテンツの再生（復号化）の可否が識別可能に表示された画面の別の一例が示された模式図である。
【図１０】図１０は、実施形態の電子機器に対応した表示装置でコンテンツの再生（復号化）に必要な第二の記憶デバイスが接続（装着）された電子機器が表示された画面の一例が示された模式図である。
【図１１】図１１は、実施形態の電子機器による演算処理の手順の一例が示された模式図である。
【発明を実施するための形態】
【０００７】
以下、図面が参照されながら、例示的な実施形態が説明される。なお、本明細書中の、第一，第二等の序数は、構成要素等を便宜上区別するために付与されており、処理の順序や、優先度、重要度等を意味するものではない。
【０００８】
図１に例示されるように、本実施形態の電子機器１０Ａ（１０）には、記憶デバイス２０と記憶デバイス３０とが、電気的に接続されうる。また、別の電子機器１０Ｂ（１０）にも、電子機器１０Ａに接続されているものと同じ（タイプのまたは種類の）記憶デバイス２０と記憶デバイス３０とが、電気的に接続されうる。記憶デバイス２０，３０は、例えば、電子機器１０の筐体外から所定標準規格に対応したコネクタやカードスロット等を介して着脱可能である。
【０００９】
記憶デバイス２０は、複数の電子機器１０に着脱可能である。記憶デバイス２０の記憶部２１には、暗号化されたコンテンツ（のデータ）が記憶されている。記憶デバイス２０は、第一の記憶デバイスの一例である。記憶デバイス２０は、例えば、書き換え可能な不揮発性の記憶デバイスであって、具体的には、例えば、ＨＤＤ（hard  disk  drive）や、ＳＳＤ（solid  state  drive）等である。記憶デバイス２０は、コネクタ１０ａ，２０ａや、ケーブル２０ｂ（ハーネス）等を介して、電子機器１０と電気的に接続される。また、記憶デバイス２０は、例えば、著作権保護技術に対応したセキュリティ機能の高いデバイスであることができる。なお、記憶デバイス２０は、必ずしも着脱可能でなくとも良く、電子機器１０の筐体内に格納されていても良い。
【００１０】
また、記憶デバイス３０は、複数の電子機器１０に着脱可能である。記憶デバイス３０の記憶部３１には、暗号化されたコンテンツに対応し、当該暗号化されたコンテンツを復号化（復号）するのに用いる鍵データが記憶されている。記憶デバイス３０は、第二の記憶デバイスの一例である。記憶デバイス３０は、例えば、書き換え可能な不揮発性の記憶デバイスであって、具体的には、例えば、カード型のフラッシュメモリ等である。記憶デバイス３０は、コネクタ１０ｂを介して、電子機器１０と電気的に接続される。また、記憶デバイス３０は、例えば、著作権保護技術に対応したセキュリティ機能の高いデバイスであることができる。
【００１１】
電子機器１０は、記憶デバイス２０および記憶デバイス３０の双方が電気的に接続されている状態では、記憶デバイス２０に記憶された暗号化されたコンテンツを、記憶デバイス３０に記憶された鍵データで復号化して再生等することができる。しかしながら、記憶デバイス２０および記憶デバイス３０の少なくとも一方が、電子機器１０について着脱可能である場合、暗号化されたコンテンツが記憶された記憶デバイス２０と、当該コンテンツに対応した鍵データが記憶された記憶デバイス３０とが、常に同じ電子機器１０に接続されているとは限らない状況が生じ得る。例えば、電子機器１０Ａ，１０Ｂにはそれぞれ別個の記憶デバイス３０が装着されるのに対し、一つの記憶デバイス２０が持ち運ばれて複数の電子機器１０Ａ，１０Ｂで繋ぎ換えて使われる場合がある。このような場合、例えば、暗号化されたコンテンツが記憶された記憶デバイス２０が電子機器１０Ａに接続された場合には、対応する鍵データが記憶された記憶デバイス３０が接続されているため、当該暗号化されたコンテンツは復号化され再生等が可能となるのに対し、同じ記憶デバイス２０が電子機器１０Ｂに接続された場合には、対応する鍵データが記憶された記憶デバイス３０が接続されていないため、当該暗号化されたコンテンツは復号化されず再生等が不可能となる。そこで、本実施形態では、暗号化されたコンテンツに対応した鍵データが記憶された記憶デバイス３０、あるいは当該記憶デバイス３０が装着（電気的に接続）されている電子機器１０がわかりやすくなる構成（機能）を備えている。
【００１２】
電子機器１０は、図１では、例えば、テレビジョン受像機として構成されている。しかし、電子機器１０は、これには限定されず、例えば、パーソナルコンピュータや、スマートフォン、携帯電話機、タブレット端末、ＰＤＡ（personal  digital  assistant）、ゲーム機、電子辞書装置、電子書籍リーダ装置等である。また、電子機器１０は、必ずしも表示装置（表示画面）や音声出力装置等を一体的に備えている必要は無く、例えば、セットトップボックスや、ホームターミナル等であってもよい。
【００１３】
また、本実施形態では、電子機器１０は、例えば、コンピュータとして構成され、ＣＰＵ（central  processing  unit）や、コントローラ、記憶部、通信部１２等を備える。通信部１２は、他の電子機器１０や他の装置とのデータの授受（通信）を実行する。制御部１１は、通信部１２を介して、他の電子機器１０の制御部との間で、種々のデータを授受することができる。表示制御部１３は、制御部１１から受け取ったデータにしたがって、映像（画像）が表示されるよう表示装置１６を制御する。記憶部は、例えば、ＲＡＭ（random  access  memory）や、ＲＯＭ（read  only  memory）、ＨＤＤ（hard  disk  drive）、ＳＳＤ（solid  state  drive）等である。記憶部には、情報記憶部１４が含まれる。情報記憶部１４は、不揮発性の記憶部であって、例えば、ＨＤＤやＳＳＤ等である。コントローラには、例えば、表示制御部１３が含まれる。入力操作部１５（入力装置）は、操作に応じたデータを制御部１１に入力する。入力操作部１５は、例えば、キーボードモジュールや、タッチパネル、タッチパッド、クリックボタン、リモートコントローラ等である。表示装置１６は、例えば、ＬＣＤ（liquid  crystal  display）やＯＥＬＤ（organic  electro-luminescent  display）等である。表示装置１６は、例えば、シート状のフレキシブルディスプレイであることができる。表示装置１６やスピーカ１７（音声出力装置）等は、出力装置の一例である。なお、入力操作部１５、表示装置１６、およびスピーカ１７は、電子機器１０と一体であってもよいし、別体であってもよい。記憶デバイス２０，３０は、それぞれ、コネクタ１０ａ，１０ｂ，２０ａ（図１参照）や、ケーブル２０ｂ、インタフェース、コントローラ等を介して制御部１１に接続される。ＣＰＵは、ロードされたプログラム（例えば、ＯＳ（operating  system）や、アプリケーション、ウエブアプリケーション等）にしたがって、種々の演算処理を実行することができる。本実施形態では、一例として、プログラムにしたがったＣＰＵ等の処理によって、図２に示される制御部１１の各部（第一の取得部１１ａ、第二の取得部１１ｂ、第三の取得部１１ｃ、第四の取得部１１ｄ、第一の識別データ処理部１１ｅ、第二の識別データ処理部１１ｆ、暗号化部１１ｇ、復号化部１１ｈ、第一の出力部１１ｉ、第二の出力部１１ｊ、第三の出力部１１ｋ）として機能する。また、図示されないが、制御部１１は、コンテンツの受信機能や、録画機能、再生機能等を有する。
【００１４】
そして、電子機器１０のプログラムは、それぞれインストール可能な形式又は実行可能な形式のファイルでＣＤ−ＲＯＭ（compact  disc  ＲＯＭ）や、ＦＤ（flexible  disc）、ＣＤ−Ｒ（ＣＤ  recordable）、ＤＶＤ（digital  versatile  disc）等の、コンピュータで読み取り可能な記録媒体に記録されて提供されうる。また、プログラムは、通信ネットワークに接続されたコンピュータの記憶部に記憶し、ネットワーク経由でダウンロードすることによって導入されうる。また、プログラムは、ＲＯＭ等に予め組み込まれてもよい。
【００１５】
電子機器１０の制御部１１の第一の取得部１１ａは、記憶デバイス２０（第一の記憶デバイス）の記憶部２１に記憶された暗号化されたコンテンツ（のデータ）を取得する。また、第二の取得部１１ｂは、記憶デバイス３０（第二の記憶デバイス）の記憶部３１に記憶された鍵データを取得する。
【００１６】
また、本実施形態では、例えば、記憶デバイス２０の記憶部２１に、図３に示されるように、暗号化された「コンテンツのファイル名」と当該暗号化されたコンテンツのデータを復号化する鍵データが記憶された「カードメディアのＩＤ」とが、互いに対応付けて記憶されている。本実施形態では、「コンテンツのファイル名」はコンテンツ（のデータ）を識別する第一の識別データの一例であり、「カードメディア」は記憶デバイス３０の一例であり、「カードメディアのＩＤ」は記憶デバイス３０を識別する第二の識別データの一例である。また、記憶部２１は、第一の記憶部の一例である。
【００１７】
さらに、本実施形態では、例えば、記憶デバイス２０の記憶部２１に、図３に示されるように、「コンテンツのファイル名」および「カードメディアのＩＤ」のうち少なくとも一方（本実施形態では、双方）と対応付けて、「カードメディアの表示用情報」が、記憶されている。本実施形態では、「カードメディアの表示用情報」は、例えば、「カードメディアに付与された色」（本実施形態では、例えば、「赤」、「青」、「黒」等）ならびに「カードメディアの名称」（例えば、ペットの名前等の愛称、本実施形態では、「モモ」、「ハナ」、「クロ」等）である。なお、「カードメディアの表示用情報」は、記憶デバイス３０を識別する第二の識別データの一例でもある。
【００１８】
第一の識別データ処理部１１ｅ（第一の記憶制御部）は、コンテンツを識別する第一の識別データ（例えば、図３の「コンテンツのファイル名」）と、記憶デバイス３０を識別する第二の識別データ（例えば、図３の「カードメディアのＩＤ」や、「カードメディアに付与された色」、「カードメディアの名称」等）とを、互いに対応付けて、例えば、記憶デバイス２０の記憶部２１に記憶させる。第一の識別データ処理部１１ｅが第一の識別データと第二の識別データとを互いに対応付けて記憶させる処理は、例えば、リモコンの操作や番組表等のアプリケーションにおける入力操作によって電子機器１０でコンテンツの録画予約が完了したタイミングや、電子機器１０によるコンテンツの録画および暗号化が完了したタイミング等で、実行されうる。
【００１９】
また、第一の識別データ処理部１１ｅは、「カードメディアの表示用情報」を、入力操作部１５のユーザによる入力操作に基づいて取得することができる。この場合、例えば、第一の識別データ処理部１１ｅは、表示装置１６の表示画面に、図４，５に示されるような、ユーザに表示用情報の入力あるいは選択を促す表示要素Ｉａ（この例では、文字）等が表示された画像Ｉｍ１，Ｉｍ２（画面）を出力させることができる。図４の場合、ユーザの入力操作部１５の操作により、画像Ｉｍ１中の入力欄Ｉｂに「カードメディアの名称」が入力される。入力中の文字は、入力欄Ｉｂに表示される。また、図５の場合、ユーザの入力操作部１５の操作により、複数の選択肢となる表示要素Ｉｃ（この例では、文字を含む枠の画像）の中から「カードメディアに付与された色」に対応した表示要素Ｉｃが選択される。第一の識別データ処理部１１ｅが記憶デバイス３０を識別する第二の識別データを取得する処理は、例えば、記憶デバイス３０が電子機器１０に初めて接続されたタイミングや、上記第一の識別データ処理部１１ｅがコンテンツを識別する第一の識別データと記憶デバイス３０を識別する第二の識別データとを互いに対応付けて記憶する処理を実行する前のタイミング等で実行されうる。「カードメディアの表示用情報」のデータは、入力操作部１５でのユーザの入力操作に応じて生成あるいは変更可能なデータの一例である。なお、「コンテンツのファイル名」（暗号化されたコンテンツの識別データ、第一の識別データ）と「カードメディアのＩＤ」（記憶デバイス３０のＩＤ、第二の識別データ）とが互いに対応付けて記憶される記憶部（記憶領域）と、「カードメディアのＩＤ」と「カードメディアの表示用情報」（記憶デバイス３０の表示用情報、第二の識別データ）とが互いに対応付けて記憶される記憶部（記憶領域）とを、分けて設定することができる。また、コンテンツを識別する第一の識別データおよび記憶デバイス３０を識別する第二の識別データは、記憶デバイス２０の記憶部２１以外の記憶部（例えば、通信可能に接続された全てまたはいずれか一つの電子機器１０の情報記憶部１４（記憶部））に記憶されてもよい。なお、本実施形態では、「カードメディアの表示用情報」（記憶デバイス３０の表示用情報）には、文字データが含まれたが、文字データに替えて、画像データが含まれてもよい。その場合、画像データは、電子機器１０やその他の機器のカメラで撮影した記憶デバイス３０の画像でありうる。
【００２０】
また、本実施形態では、例えば、通信可能に接続された全てまたはいずれか一つの電子機器１０の情報記憶部１４（記憶部）に、図６に示されるように、「カードメディアのＩＤ」および「カードメディアの表示用情報」のうち少なくとも一方（本実施形態では、双方）と「電子機器の情報」とが、互いに対応付けて記憶されている。本実施形態では、「電子機器の情報」は、例えば、「電子機器のＩＤ」（本実施形態では、例えば、Ｄ００１〜Ｄ００３）ならびに「電子機器の説明」（ノート、メモ、特定するための情報、設置位置を示す情報、本実施形態では、例えば「リビングのテレビ」、「２階のテレビ」、「お父さんの部屋のＰＣ」等）である。本実施形態では、「電子機器の情報」は電子機器１０を識別する第三の識別データの一例である。また、情報記憶部１４は、第二の記憶部の一例である。
【００２１】
第二の識別データ処理部１１ｆ（第二の記憶制御部）は、記憶デバイス３０を識別する第二の識別データ（例えば、図６の「カードメディアのＩＤ」や、「カードメディアに付与された色」、「カードメディアの名称」等）と、電子機器１０を識別する第三の識別データ（例えば、図６の「電子機器のＩＤ」や「電子機器の説明」等）とを、互いに対応付けて、例えば、通信可能に接続された全てまたはいずれか一つの電子機器１０の情報記憶部１４（記憶部）に記憶させる。第二の識別データ処理部１１ｆが第二の識別データと第三の識別データとを互いに対応付けて記憶する処理は、例えば、リモコンの操作や番組表等のアプリケーションにおける入力操作によって電子機器１０においてコンテンツの録画予約が完了したタイミングや、電子機器１０によるコンテンツの録画および暗号化が完了したタイミング等で、実行されうる。
【００２２】
また、第二の識別データ処理部１１ｆは、「電子機器の情報」を、入力操作部１５のユーザによる入力操作に基づいて取得することができる。この場合、例えば、第二の識別データ処理部１１ｆは、表示装置１６の表示画面に、図７に示されるようなユーザに表示用情報の入力あるいは選択を促す文字Ｉａ等が表示された画像Ｉｍ３（画面）を出力させる。図７の場合、ユーザの入力操作部１５の操作により、画像Ｉｍ３中の入力欄Ｉｂに「電子機器の説明（メモや、ノート、場所、名称等）」が入力される。入力中の文字は、入力欄Ｉｂに表示される。第二の識別データ処理部１１ｆが第三の識別データを取得する処理は、例えば、電子機器１０が複数の電子機器１０が通信可能に接続されたネットワーク（例えば、ホームネットワーク）等に初めて接続されたタイミングや、記憶デバイス３０が電子機器１０に接続されたタイミング等で実行されうる。
【００２３】
第三の取得部１１ｃは、記憶デバイス２０の記憶部２１（第一の記憶部）から、暗号化されたコンテンツのデータを復号する鍵データが記憶された記憶デバイス３０の識別データ（第二の識別データ）を取得する。一方、第四の取得部１１ｄは、情報記憶部１４（第二の記憶部）から、記憶デバイス３０の識別データ（第二の識別データ）に対応した電子機器１０の識別データ（第三の識別データ）、すなわち、記憶デバイス３０が装着された電子機器１０の識別データを取得する。
【００２４】
復号化部１１ｈは、第一の取得部１１ａで取得された暗号化されたコンテンツのデータを、第二の取得部１１ｂで取得された鍵データで復号化する。また、暗号化部１１ｇは、鍵データでコンテンツのデータを暗号化する。制御部１１は、暗号化されたデータを記憶デバイス２０の記憶部２１（第一の記憶部）に書き込む。
【００２５】
第一の出力部１１ｉは、接続された記憶デバイス２０（第一の記憶デバイス）に記憶された暗号化されたコンテンツのデータに対応した鍵データが、接続された記憶デバイス３０（第二の記憶デバイス）に記憶されていなかった場合に、当該暗号化されたコンテンツのデータに対応した第二の識別データ、すなわち、暗号化されたコンテンツのデータを復号する鍵データが記憶された記憶デバイス３０の識別データを、出力する。
【００２６】
また、第一の出力部１１ｉは、接続された記憶デバイス２０（第一の記憶デバイス）に記憶された暗号化されたコンテンツのデータに対応した鍵データが、接続された記憶デバイス３０（第二の記憶デバイス）に記憶されていた場合には、当該暗号化されたコンテンツのデータに対応した第二の識別データ、すなわち、暗号化されたコンテンツのデータを復号する鍵データが記憶された記憶デバイス３０の識別データを、出力しない。
【００２７】
この場合、例えば、第一の出力部１１ｉは、表示装置１６の表示画面に、図８，９に示されるような、電子機器１０に接続された記憶デバイス２０に記憶されているコンテンツのリスト（録画タイトルリスト）の画像Ｉｍ４，Ｉｍ５を表示させることができる。図８，９の例では、接続された記憶デバイス２０に記憶された暗号化されたコンテンツのうち、接続された記憶デバイス３０に復号に用いられる鍵データが記憶されているため電子機器１０で再生可能（復号可能）であるコンテンツ（「日曜ドラマ○○○」および「プロ野球ＹＹｖｓＺＺ」）と、接続された記憶デバイス３０に復号に用いられる鍵データが記憶されていないため電子機器１０で再生不可能（復号不可能）であるコンテンツ（「ニュースＸＸＸ」および「土曜シネマ△△△」）とが、区別（区分、識別）可能に表示されている。
【００２８】
図８の例では、再生可能であるコンテンツが太枠で囲まれて強調されている。また、図８の例では、再生不可能であるコンテンツに対応した表示要素（文字、枠、背景）等が、図示されないが、再生（復号化）に用いられる鍵データが記憶されている記憶デバイス３０に付与された色に着色されている。図９の例では、再生不可能であるコンテンツに対応した表示要素Ｉｄ（「再生不可」という文字）とともに、再生（復号化）に用いられる鍵データが記憶されている記憶デバイス３０を示す表示要素Ｉｅ（記憶デバイス３０の記号と、「赤」や「黒」という文字）が表示されている。このように、図形や、文字、記号、色を用いた表示により、ユーザは、再生（復号化）可能なコンテンツ、再生不可能なコンテンツ、さらに当該再生不可能なコンテンツの再生（復号化）に必要な記憶デバイス３０をより認識しやすい。
【００２９】
また、第二の出力部１１ｊは、接続された記憶デバイス２０（第一の記憶デバイス）に記憶された暗号化されたコンテンツのデータに対応した鍵データが、接続された記憶デバイス３０（第二の記憶デバイス）に記憶されていなかった場合には、記憶デバイス３０を識別する第二の識別データに対応した電子機器１０を識別する第三の識別データ、すなわち、再生（復号化）に必要な記憶デバイス３０が接続された（装着された）電子機器１０の識別データを出力する。
【００３０】
この場合、例えば、第二の出力部１１ｊは、表示装置１６の表示画面に、図１０に示されるような、ユーザに、再生（復号化）に必要な記憶デバイス３０が接続された（装着された）電子機器１０を示す表示要素Ｉｆ（この例では、文字ならびに数字）を含む画像Ｉｍ６表示させることができる。図１０の例では、電子機器１０の、型番、メーカー名、名称等が表示されている。このような表示により、ユーザは、コンテンツの再生（復号化）に必要な記憶デバイス３０がどの電子機器１０に接続されているかを、認識しやすい。
【００３１】
さらに、第三の出力部１１ｋは、第三の識別データに対応した他の電子機器１０、すなわち、再生（復号化）に必要な記憶デバイス３０が接続された（装着された）電子機器１０に向けて、当該他の電子機器１０での表示または音声の出力の元となるデータ（指示データ）を出力することができる。当該他の電子機器１０は、通信部１２が受信した表示または音声の出力の元となるデータ（指示データ）にしたがって、表示装置１６でのテロップやウインドウの表示、ＬＥＤ（light  emitting  diode）での点灯・点滅、スピーカ（ブザー）での音の出力等を実行する。これにより、ユーザは、再生不可能なコンテンツの再生（復号化）に必要な記憶デバイス３０がどの電子機器１０に接続されているかを、より一層認識しやすい。
【００３２】
ここで、図１１を参照して、制御部１１による演算処理の手順の一例が説明される。
【００３３】
まず、制御部１１は、接続された記憶デバイス２０から、暗号化されたコンテンツの識別データ（第一の識別データ、本実施形態では、例えば、暗号化されたコンテンツのファイル名）を取得する（ステップＳ１０１）。
【００３４】
次に、制御部１１は、接続された記憶デバイス２０の記憶部２１に記憶されたデータを参照し（図３参照）、暗号化されたコンテンツの識別データ（第一の識別データ）に対応した記憶デバイス３０の識別データ（第二の識別データ、本実施形態では、例えば、カードメディアのＩＤ）を取得する（ステップＳ１０２）。
【００３５】
電子機器１０に、ステップＳ１０２で取得された第二の識別データに対応した記憶デバイス３０（第二の記憶デバイス）が接続されている場合（ステップＳ１０３でＹｅｓ）、第一の取得部１１ａは、暗号化されたコンテンツを取得し（ステップＳ１０４）、かつ、第二の取得部１１ｂは、暗号化されたコンテンツのデータに対応した鍵データを取得する（ステップＳ１０５）。そして、復号化部１１ｈが暗号化されたコンテンツのデータを、対応する鍵データで復号化し、制御部１１は、復号化されたコンテンツを再生する（ステップＳ１０６）。
【００３６】
一方、電子機器１０に、ステップＳ１０２で取得された第二の識別データに対応した記憶デバイス３０（第二の記憶デバイス）が接続されていなかった場合には（ステップＳ１０３でＮｏ）、第一の出力部１１ｉは、表示装置１６が、コンテンツを再生（復号化）できない旨や再生（復号化）に必要な記憶デバイス３０を示す画像Ｉｍ４（図８）や、画像Ｉｍ５（図９）を表示するよう、制御する（ステップＳ１０７）。次に、第二の出力部１１ｊは、表示装置１６が、コンテンツの再生（復号化）に必要な記憶デバイス３０が接続（装着）されている電子機器１０を示す画像Ｉｍ６（図１０）を表示するよう、制御する（ステップＳ１０８）。次に、第三の出力部１１ｋは、少なくとも、再生（復号化）に必要な記憶デバイス３０が接続された他の電子機器１０に向けて、表示や音声の出力の元となるデータ（指示データ）を送信する（ステップＳ１０９）。このステップＳ１０９でのデータの送信は、ユニキャストや、マルチキャスト、ブロードキャスト等で実行されうる。ステップＳ１０９により、再生（復号化）に必要な記憶デバイス３０が接続された他の電子機器１０は、データに基づいた表示出力または音声出力を実行する。
【００３７】
以上、説明したように、本実施形態では、一例として、第一の出力部１１ｉは、接続された記憶デバイス２０（第一の記憶デバイス）に記憶された暗号化されたコンテンツのデータに対応した鍵データが、接続された記憶デバイス３０（第二の記憶デバイス）に記憶されていなかった場合に、当該暗号化されたコンテンツのデータの復号に用いる鍵データが記憶された記憶デバイス３０の識別データ（第二の識別データ）を出力する。よって、本実施形態によれば、一例としては、ユーザは、再生（復号化）できなかった理由や、再生に必要な記憶デバイス３０等を知ることができる。
【００３８】
また、本実施形態では、一例として、第一の出力部１１ｉは、接続された記憶デバイス２０（第一の記憶デバイス）に記憶された暗号化されたコンテンツのデータに対応した鍵データが、接続された記憶デバイス３０（第二の記憶デバイス）に記憶されていた場合には、当該暗号化されたコンテンツのデータの再生（復号化）に必要な記憶デバイス３０の識別データ（第二の識別データ）を出力しない。よって、本実施形態によれば、一例としては、再生（復号化）できる状況では、表示や音声による出力は行われないため、演算処理や再生がより円滑に実行される。また、ユーザは、不要な表示や音声による煩わしさを感じない。
【００３９】
また、本実施形態では、一例として、記憶デバイス３０（第二の記憶デバイス）の識別データ（第二の識別データ）や、電子機器１０の識別データ（第三の識別データ）には、入力操作部１５でのユーザの入力操作に応じて生成あるいは変更可能なデータが含まれる。よって、本実施形態によれば、一例としては、ユーザは、記憶デバイス３０や電子機器１０を認識しやすい。
【００４０】
また、本実施形態では、一例として、記憶デバイス３０（第二の記憶デバイス）の識別データ（第二の識別データ）に、記憶デバイス３０に付された色を示すデータが含まれる。よって、ユーザは、色によって、記憶デバイス３０を認識しやすい。また、表示装置１６での表示が、色によってよりわかりやすくなりやすい。
【００４１】
また、本実施形態では、一例として、コンテンツを識別する第一の識別データと、対応する鍵データが記憶された記憶デバイス３０を識別する第二の識別データと、が対応付けて記憶される記憶部２１（第一の記憶部）は、コンテンツが記憶される記憶デバイス２０（第一の記憶デバイス）に含まれる。よって、本実施形態によれば、一例としては、記憶デバイス２０に記憶されたコンテンツに対応する鍵データや記憶デバイス３０の状況を示す情報が、当該記憶デバイス２０に記憶されているため、電子機器１０は、当該情報を比較的容易に取得しやすい。
【００４２】
また、本実施形態では、一例として、第二の出力部１１ｊは、接続された記憶デバイス２０（第一の記憶デバイス）に記憶された暗号化されたコンテンツのデータに対応した鍵データが、接続された記憶デバイス３０（第二の記憶デバイス）に記憶されていなかった場合に、記憶デバイス３０を識別する第二の識別データに対応した電子機器１０を識別する第三の識別データ、すなわち、再生（復号化）に必要な記憶デバイス３０が接続された（装着された）電子機器１０の識別データを出力する。よって、本実施形態によれば、一例としては、ユーザは、コンテンツの再生（復号化）に必要な記憶デバイス３０がどの電子機器１０に接続されているかを、認識しやすい。
【００４３】
また、本実施形態では、一例として、第三の出力部１１ｋは、第三の識別データに対応した他の電子機器、すなわち、再生（復号化）に必要な記憶デバイス３０が接続された（装着された）電子機器１０に向けて、当該他の電子機器１０での表示または音声の出力の元となるデータを出力する。よって、本実施形態によれば、一例としては、ユーザは、再生不可能なコンテンツの再生（復号化）に必要な記憶デバイス３０がどの電子機器１０に接続されているかを、より一層認識しやすい。
【００４４】
以上、本発明の実施形態ならびに変形例を例示したが、上記実施形態ならびに変形例はあくまで一例であって、発明の範囲を限定することは意図していない。これら実施形態ならびに変形例は、その他の様々な形態で実施されることが可能であり、発明の要旨を逸脱しない範囲で、種々の省略、置き換え、組み合わせ、変更を行うことができる。これら実施形態やその変形例は、発明の範囲や要旨に含まれるとともに、特許請求の範囲に記載された発明とその均等の範囲に含まれる。また、本発明は、構成要素（ステップ）によって得られる基本的な結果（効果）によってもたらされる種々の効果も奏することができる。また、上述した効果は一例である。また、各構成要素のスペックは、適宜に変更して実施することができる。
【符号の説明】
【００４５】
１０，１０Ａ，１０Ｂ…電子機器、１０ａ…コネクタ、１１…制御部、１１ａ…第一の取得部、１１ｂ…第二の取得部、１１ｃ…第三の取得部、１１ｄ…第四の取得部、１１ｅ…第一の識別データ処理部、１１ｆ…第二の識別データ処理部、１１ｈ…復号化部、１１ｉ…第一の出力部、１１ｊ…第二の出力部、１１ｋ…第三の出力部、１５…入力操作部、１６…表示装置、２０…記憶デバイス（第一の記憶デバイス）、３０…記憶デバイス（第二の記憶デバイス）。
【図１】
2015011575.tif 000003
【図２】
2015011575.tif 000004
【図３】
2015011575.tif 000005
【図４】
2015011575.tif 000006
【図５】
2015011575.tif 000007
【図６】
2015011575.tif 000008
【図７】
2015011575.tif 000009
【図８】
2015011575.tif 000010
【図９】
2015011575.tif 000011
【図１０】
2015011575.tif 000012
【図１１】
2015011575.tif 000013